(57)【要約】【課題】  本発明はタオル掛け等の壁に取り付けられたバーに簡単に設置することにより、バーの上方の空いた空間を有効に使用するための棚等を得ることである。【解決手段】  タオル掛け等の壁に取り付けられたバーに道具を使用せずに設置するため、台座と楔状に形成した脚部とで棚等を構成している。【選択図】  図８
2005296554.tif 000002
【特許請求の範囲】
【請求項１】
タオル掛け等の壁に取り付けられたバーに設置して使用する、楔状の脚を有することを特徴とした棚。
【請求項２】
請求項１の棚において楔状の脚を折りたためるようにし、使用せずに保管しているときや輸送中に無駄なスペースを取らず、脚部が散乱しないよう構成することを特徴とした棚。
【請求項３】
請求項１の棚において楔状の脚を別に形成して、取り外し自在にし、使用せずに保管しているときや輸送中に無駄なスペースを取らないよう構成することを特徴とした棚。
【請求項４】
請求項１、請求項２もしくは請求項３の棚において楔状の脚と籠を設置したことを特徴とした棚。
【請求項５】
請求項１、請求項２もしくは請求項３の棚において楔状の脚と網状のボードを構成してフックで籠等を掛けて設置し、使用することを可能としたことを特徴とした棚。
【請求項６】
請求項１の棚において楔状の脚と棚板を１枚の板状に構成し、ヒンジで折り曲げて使用することを特徴とした棚。
【発明の詳細な説明】
【技術分野】
【０００１】  本発明は、すでに取り付けられた壁掛け式タオル掛けに追加して取り付けることができる、楔状の脚を有することを特徴とした増設架等に関するものである。
【背景技術】
【０００２】  従来、たとえば、あらかじめ、タオル掛け等に供するためのバーが設置されて構成された棚が知られている。【０００３】  すでにタオル掛け等のバーを設置している場所においては、新たに棚を設置する必要があった。
【発明の開示】
【発明が解決しようとする課題】
【０００４】  従来、すでにタオル掛け等のバーを設置している場所において、バーの上方に空いた空間を有効に活用するためには、次に列挙する解決すべき課題があった。
（１）すでにタオル掛け等のバーを設置している場所においては、新たに棚を設置する必要があった。【０００５】（２）（１）の場合、一般的に取付用の金具や、工具を使う必要があった。
【課題を解決するための手段】
【０００６】  この課題を解決するため、本発明は増設架であって、台座と楔状に形成した脚部とで構成している。
【発明の効果】
【０００７】  以上の説明から明らかなように、本発明にあっては次に列挙する効果が得られる。
（１）今まで利用されていない空間を有効に活用し、新たな収納スペースを提供することができる。【０００８】（２）すでに設置されているタオル掛け等のバーに取付用の金具や、工具を使わずに取り付けることができる。【０００９】（３）脚部が楔状のため、バーと壁との間の距離が離れていても安定的に設置することができる。【００１０】（４）請求項２、請求項３および請求項６の場合は、前記（１）および（２）の効果に加えて、使用せずに保管しているときや輸送中には脚部を折りたたんだり取り外したりできるので、無駄なスペースを取らない。【００１１】（５）請求項３および請求項６の場合は、使用せずに保管しているときや輸送中には脚部を折りたたんだり取り外したりできるので、脚部が散乱しない効果が得られる。
【発明を実施するための最良の形態】
【００１２】  以下、図面に示す発明を実施するための最良の形態により、本発明を詳細に説明する。【００１３】  図７に示すように、本発明を実施するための最良の第１の形態において、楔状の脚部２と台座３によって構成されている。【００１４】  楔状の脚部２と台座３は別々の部品として形成され、図６に示すように折り畳むことができる。あるいは、図９に示すように取り外すことができるように構成してもよい。【００１５】  台座３は水はけを考慮して、網目にしてもよい。【００１６】  楔状の脚部２を壁面とタオル掛け等のバー１の間に差し込むことによって、自重で下方に押し込まれ、楔状の脚部２の幅が壁面とタオル掛け等のバー１との距離と一致した地点で安定的に設置される。【００１７】  楔状の脚部２は線状に形成されているが、楔状の脚部２が壁面とタオル掛け等のバーに安定的に設置することができれば、図８のように一枚の板を楔状に形成したものでも良い。この場合は図９に示すように楔状の脚部２と台座３を別々に構成して組み立ててもよい。【００１８】  楔状の脚部２が壁面とタオル掛け等のバーに安定的に設置することができれば、図１４に示すような装飾を施すことも可能である。【００１９】  台座３は図１０に示すように落下防止のため、柵４を設けてもよい。
【他の実施例】
【００２０】  次に本発明を実施するための異なる形態につき説明する。なお、これらの本発明を実施するための異なる形態の説明にあたって前記本発明を実施するための最良の形態と同一構成部分には同一符号を付して重複する説明を省略する。
【００２１】  図１１に示すように、本発明を実施するための最良の第１の形態における台座３の代わりに網状のボード５を楔状の脚部２と構成してフックで掛けて設置し、使用する籠６等を設置してもよい。この場合、楔状の脚部を図１２のように形成して、網状のボードと別の構成にしているので、２つの楔状の脚部の間の幅は自在に変化できる。
【００２２】  図１３に示すように、本発明を実施するための最良の第１の形態における台座３の代わりに籠７を楔状の脚部２と構成してもよい。この場合、楔状の脚部を図１２のように形成して、綱状のボードと別の構成にしているので、２つの楔状の脚部の間の幅は自在に変化できる。
【００２３】  図１５に示すように、１枚の板状に構成して、図１６のように使用してもよい。この場合、脚部２と台座３をヒンジで繋いでもよい。
【産業上の利用可能性】
【００２４】  本発明は棚もしくはタオル掛けに関する。
【図面の簡単な説明】
【００２５】
【図１】本発明を実施するための最良の第１の形態の正面図
【図２】本発明を実施するための最良の第１の形態の背面図
【図３】本発明を実施するための最良の第１の形態の右側面図
【図４】本発明を実施するための最良の第１の形態の平面図
【図５】本発明を実施するための最良の第１の形態の底面図
【図６】本発明を実施するための最良の第１の形態の脚部を折り畳んだ状態を示す斜視図
【図７】本発明を実施するための最良の第１の形態の使用状態を示す斜視図
【図８】本発明を実施するための第１の形態の使用状態を示す斜視図
【図９】本発明を実施するための第１の形態の楔状の脚部の組立構造を示す斜視図
【図１０】本発明を実施するための第２の形態の使用状態を示す斜視図
【図１１】本発明を実施するための第２の形態の使用状態を示す斜視図
【図１２】本発明を実施するための第２の形態の楔状の脚部の形状を示す斜視図
【図１３】本発明を実施するための第２の形態の使用状態を示す斜視図
【図１４】本発明を実施するための第２の形態の楔状の脚部の装飾を施した例を示す斜視図
【図１５】本発明を実施するための第２の形態の展開図
【図１６】本発明を実施するための第２の形態の使用状態を示す斜視図
【符号の説明】
【００２６】１、はタオル掛け等の壁に取り付けられたバー
２、は楔状の脚部
３、は台座
４、は柵
５、は網状のボード
６、はフックで掛けて設置し、使用する籠
７、は籠
８、はヒンジ
【図１】
2005296554.tif 000003
【図２】
2005296554.tif 000004
【図３】
2005296554.tif 000005
【図４】
2005296554.tif 000006
【図５】
2005296554.tif 000007
【図６】
2005296554.tif 000008
【図７】
2005296554.tif 000009
【図８】
2005296554.tif 000010
【図９】
2005296554.tif 000011
【図１０】
2005296554.tif 000012
【図１１】
2005296554.tif 000013
【図１２】
2005296554.tif 000014
【図１３】
2005296554.tif 000015
【図１４】
2005296554.tif 000016
【図１５】
2005296554.tif 000017
【図１６】
2005296554.tif 000018